(57)【特許請求の範囲】
【請求項１】
デッキプレートの上面にコンクリートを打設しない屋根構造における、前記デッキプレートに設けられた設置孔へ天井部材を吊り下げ支持する吊り金具が取り付けられている、吊り金具の取付構造であって、
前記デッキプレートには、上向きに開口する凹溝が、底部と、同底部の両端部から上方へ起立する側面部とで構成されており、
前記底部に設置孔が設けられており、
前記吊り金具は、前記天井部材を連結するネジ部を有する吊り部と、同吊り部の頂部と連結されて水平方向へ延びる水平拡張部と、同水平拡張部の左右端に前記凹溝の側面部へ当接する支持部とで構成されており、
上記吊り金具は、その吊り部が、前記デッキプレートの凹溝の底部に設けられた設置孔へ通されて同デッキプレートの下方へ突き出されており、前記支持部が凹溝の両側面部と当接した状態に取り付けられている構成を特徴とする、吊り金具の取付構造。
【請求項２】
デッキプレートの凹溝は、その側面部が下方に向かって幅広となる形状に傾斜されており、
吊り金具の水平拡張部の左右の端部に設けられた両支持部は、凹溝の底部側の幅広な側面部へ当接された当接部と、凹溝の開口側の狭幅な幅寸以下となる導入部とで形成されている構成を特徴とする、請求項１に記載した吊り金具の取付構造。
【請求項３】
デッキプレートの凹溝は、その側面部が下方に向かって狭幅となる形状に傾斜されており、
吊り金具の支持部は、前記のように傾斜する側面部に沿って起立する羽根部を備えている構成を特徴とする、請求項１に記載した吊り金具の取付構造。
【請求項４】
デッキプレートの上面にコンクリートを打設しない屋根構造における前記デッキプレートに設置孔を明けて、天井部材を吊り下げ支持する吊り金具を取り付ける、吊り金具の取付方法であって、      
前記デッキプレートは、上向きに開口する凹溝が、底部と、同底部の両端部から上方へ起立する側面部とで構成され、前記底部に設置孔を設けていること、
前記吊り金具は、前記天井部材を連結するネジ部を有する吊り部と、同吊り部の頂部と連結され水平方向へ延びる水平拡張部と、同水平拡張部の左右端には前記凹溝の底部側の幅広な側面部へ当接される当接部と、凹溝の開口側の狭幅な側面部の幅以下となる導入部とを有する支持部とで構成されること、
上記吊り金具は、その吊り部を前記デッキプレートの凹溝の底部に設けた設置孔へ上方位置から挿入して、前記水平拡張部を吊り部を中心に水平回動させて、その支持部の当接部が凹溝の側面部へ当接する状態に取り付けることをそれぞれ特徴とする、吊り金具の取付方法。
【発明の詳細な説明】
【技術分野】
【０００１】
この発明は、デッキプレートの上にコンクリートを打設しない屋根構造における、そのデッキプレートの設置孔に天井部材を吊り下げ支持する吊り金具を取り付けて成る構造、及び同天井部材の取付方法の技術分野に属する。
【背景技術】
【０００２】
従来、乾式屋根及び湿式屋根を構成するデッキプレートには、天井部材を吊り下げ支持する吊り金具が取り付けられている。前記デッキプレートへ吊り金具を取り付けた構造、及びその取付方法には数多くの実施例が実用に供され、下記の特許文献１、２等にも開示されている。
下記の特許文献１には、図１２Ａ、Ｂに例示したように、吊り金具１５は、先端にフック部１５０を、基端には雄ねじが形成された係止部１５０ａを有する吊り部１５０と、同吊り部１５０を貫通する押さえ板１５１と、及び収縮可能なアコーディオン形状の筒体で成る締結具１５２とで構成されている。
前記吊り金具１５は、デッキプレート１５３に設けられた設置孔へ、吊り具１５０を先端から挿入し、同吊り部１５０を上方へ引っ張り上げると、前記アコーディオン形状の締結具１５２は伸張する。その状態で引っ張りをやめると、吊り部１５０の係止部１５０ａがアコーディオン形状の締結部１５２の各上面を押圧して吊り金具１５をデッキプレート１５３へ取り付けて固定するので、ボルト結合や工具による面倒な作業を必要とせず容易に固定を行えると記載されている。
【０００３】
また、特許文献２には、図１３、図１４に例示したように、吊り金具１６は、ねじ孔１６０ａを形成された筒体１６０と、その上部に形成された笠状ヘッド１６１とで成るインナ部材１６２と、デッキプレート１６３の設置孔１６３ａの縁近傍に載る顎状ストッパー１６４と、スリット１６５ａにより拡股可能とされた係止レグ１６５とを備えたアウタ部材１６６とで構成されている。
図１４Ａに使用例を示すように、前記アウタ部材１６６にインナー部材１６２を装着し、上記設置孔１６３ａへアウタ部材１６６の係止レグ１６５を顎状ストッパ１６４へ当たるまで挿入して嵌着し、図１４Ｂに示すように、インナ部材１６２の笠状ヘッド１６１を叩くと、インナ部材１６２の筒体１６０が設置孔１６３ａを貫通して、アウタ部材１６６の係止レグ１６５が拡股されてデッキプレート１６３の上下面を挟む。その結果、吊り金具１６がデッキプレート１６３へ取り付けられる（図１４Ｃ）と記載されている。
【先行技術文献】
【特許文献】
【０００４】
【特許文献１】実公昭６１−２７３８３号公報
【特許文献２】特開２００６−２６９１６号公報
【発明の概要】
【発明が解決しようとする課題】
【０００５】
上記の特許文献１、２に開示された先行技術には、下記した幾つかの問題点がある。
先ず、特許文献１記載の吊り金具１５は、図１２に示す通り、吊り金具１５を構成する吊り部１５０の上端（係止部１５０ａ）が、デッキプレート１５３の上面へ突出する。しかも、図示例では、デッキプレート１５３の凸部（山部）位置に吊り金具１５が取り付けられている。
したがって、特にデッキプレートの上にコンクリートを打設しない乾式屋根である場合に、デッキプレート１５３の上面に断熱材や防水シートなどの屋根部材が設置される際には、吊り部１５０の上端である係止部１５０ａが邪魔になって設置作業が困難になるし、ボルトを切除するのは非常に面倒である。
更に、吊り金具１５は、ボルト接合せず単にアコーディオン形状の締結部１５２の収縮により固定する構成である。つまり、上下方向の拘束力のみ期待した構成である。したがって、乾式屋根の場合にはコンクリート打設が無いため、水平方向の揺れや振動に対する拘束力が弱く、大きな揺れが生じた際には不安定になる。
【０００６】
次に、特許文献２に開示された吊り金具の取付構造は、図１３に示した通り、吊り金具１６は、その笠状ヘッド１６１を叩き込んでデッキプレート１６３の孔１６３ａへ取り付ける。そのためデッキプレート１６３の上面へ吊り金具１６の部材が突出する虞がない利点は認められる。しかし、この吊り金具１６の固定は、単に叩き込みによりデッキプレート１６３の上下を挟む構成であるため、固定力に乏しい。したがって、吊り金具１６の取付後、同吊り金具１６の筒体１６０内へ天井部材の吊りボルトをねじ込む際に、共回りが生じてしまう。そこで前記共回りを防止するため、吊り金具１６をビス止めなどにより固定する面倒な補充作業が必要となっていた。
以上、先行の特許文献１、２に開示された構成と問題点を説明したが、要するに、乾式屋根におけるデッキプレートと吊り金具の効果的な取付構造及び取付方法は開示されていない。
【０００７】
本発明の目的は、乾式屋根を構成するデッキプレートへ吊り金具を強固に取付けて成る構造、及びその取付方法を提供することである。特にデッキプレートの凹溝へ取付ける吊り金具が屋根部材の設置作業に支障をきたすことが無く、吊り金具をデッキプレートへ簡易に取り付けられ、共回りを防止できる構成の吊り金具の取付構造、及びその取付方法を提供することである。
【課題を解決するための手段】
【０００８】
上記課題を解決するための手段として、請求項１に記載した発明に係る、吊り金具の取付構造は、
デッキプレート２又は７の上面にコンクリートを打設しない屋根構造における、前記デッキプレート２に設けられた設置孔へ天井部材３を吊り下げ支持する吊り金具１又は８が取り付けられている、吊り金具の取付構造であって、
前記デッキプレート２又は７には、上向きに開口する凹溝２０又は７０が、底部２１又は７１と、同底部２１又は７１の両端部から上方へ起立する側面部２２、２２又は７２、７２とで構成されており、
前記底部２１又は７１に設置孔２１ａ又は７１ａが設けられており、
前記吊り金具１又は８は、前記天井部材３を連結するネジ部を有する吊り部１０又は８０と、同吊り部１０又は８０の頂部と連結されて水平方向へ延びる水平拡張部１１又は８１と、同水平拡張部１１、８１の左右端に前記凹溝２０又は７０の側面部２２又は７２へ当接する支持部１２又は８２とで構成されており、
上記吊り金具１又は８は、その吊り部１０又は８０が、前記デッキプレート２又は７の凹溝２０又は７０の底部２１又は７１に設けられた設置孔２１ａ又は７１ａへ通されて同デッキプレート２又は７の下方へ突き出されており、前記支持部１２又は８２が凹溝２０又は７０の両側面部と当接した状態に取り付けられている構成を特徴とする。
【０００９】
請求項２記載の発明は、請求項１に記載した吊り金具の取付構造において、
デッキプレート２の凹溝２０は、その側面部２２が下方に向かって幅広となる形状に傾斜されており、
吊り金具１の水平拡張部１１の左右の端部に設けられた支持部１２は、凹溝２０の底部側の幅広な側面部へ当接された当接部１２と、凹溝２０の開口側の狭幅な幅寸以下となる導入部とで形成されている構成を特徴とする。
【００１０】
請求項３記載の発明は、請求項１に記載した吊り金具の取付構造において、
デッキプレート７の凹溝７０は、その側面部７２が下方に向かって狭幅となる形状に傾斜されており、
吊り金具８の支持部８１は、前記のように傾斜する側面部７２に沿って起立する羽根部８２を備えている構成を特徴とする。
【００１１】
請求項４に記載した発明に係る吊り金具の取付方法は、
デッキプレート２又は７の上面にコンクリートを打設しない屋根構造における前記デッキプレート２又は７に設置孔２１ａ又は７１ａを明けて、天井部材３を吊り下げ支持する吊り金具１又は８を取り付ける、吊り金具の取付方法であって、      
前記デッキプレート２又は７は、上向きに開口する凹溝２０又は７０が、底部２１又は７１と、同底部２１又は７１の両端部から上方へ起立する側面部２２又は７２とで構成され、前記底部２１又は７１に設置孔２１ａ又は７１ａを設けること、
前記吊り金具１又は８は、前記天井部材３を連結するネジ部を有する吊り部１０又は８０と、同吊り部１０又は８０の頂部と連結され水平方向へ延びる水平拡張部１１又は８１と、同水平拡張部１１又は８１の左右端に前記凹溝２０の底部側に幅広な側面部又は底部側狭幅な凹溝７０の側面部７２へ当接される当接部１２又は８２と、凹溝２０の開口側が狭幅な側面部２２又は底部側が狭幅な側面部７２の幅以下となる導入部とを有する支持部１２又は８２とで構成し、
上記吊り金具１又は８は、その吊り部１０又は８０を前記デッキプレート２又は７の凹溝２０又は７０の底部に設けた設置孔２１ａ又は７１ａへ上方位置から挿入して、前記水平拡張部１１又は８１を吊り部１０又は８０を中心に水平回動させてその支持部１２又は８２の当接部が凹溝２０又は７０の側面部２２又は７２へ当接する状態に取り付けることをそれぞれ特徴とする。
【発明の効果】
【００１２】
請求項１〜４に記載した吊り金具の取付構造及びその取付方法は、下記（１）〜（３）の効果を奏する。
（１）本発明の乾式屋根を構成するデッキプレート２又は７は、上向きに開口する凹溝２０又は７０が、底部２１又は７１ａと、同底部２１又は７１の両端部から上方へ起立する側面部とで構成され、同底部には設置孔１１又は７１ａが設けられている。また、吊り金具１又は８は、前記天井部材２２又は７２を連結するネジ部を有する吊り部１０又は８０と、同吊り部１０又は８０の頂部と連結され水平方向へ延びる水平拡張部１１又は８１と、同水平拡張部１１又は８１の両端に前記凹溝２０又は７０の側面部と当接する支持部１２又は８２とで構成されている。
上記吊り金具１又は８は、その吊り部１０又は８０を前記デッキプレート２の凹溝２０又は７０の設置孔１１又は７１ａへ上方位置から挿入して、同水平拡張部１１又は８１を吊り部１０又は８０を中心に水平回動させると、支持部１２又は８２が凹溝２０又は７０の両側面部と当接状態となり、同凹溝２０又は７０に取り付けられる。
したがって、本発明による吊り金具の取付構造及び取付方法によれば、デッキプレートの上面へ部材が突出することは一切無い。つまり、吊り部１０又は８０の頂部には、水平拡張部１１又は８１が設けられているため、天井部材３が吊り金具１又は８の上方へ突出することは一切なく、フラットな上面を実現できる。
よって、デッキプレート２又は７の屋根側面に屋根材を設置する際に、天井部材３や吊り金具１又は８に支障を及ぼすことがなく、デッキプレーと７２の上にコンクリートを打設しない乾式屋根に極めて有効な取付構造及び取付方法である。
また、吊り金具１又は８は、その支持部１２又は８２が凹溝２０又は７０の両側面部と当接状態に取り付けられてきっちり位置決め固定される構成であるため、面倒なボルト接合やたたき込み作業、或いはビス止め作業を必要とせず、非常に簡易な方法で取り付けることが可能である。
【００１３】
（２）また、請求項３記載の発明によれば、デッキプレート７の凹溝７０の側面部が上方に向かって拡幅する形状に傾斜されている場合、吊り金具８の支持部８２は、前記傾斜する側面部に沿って起立する羽根部８２を備えた構造とされている。したがって、吊り金具８の吊り部を上記設置孔７１ａへ単に挿入するだけで、凹溝の側面部７２へ吊り金具の羽根部８２がしっかりと嵌め合わされるので取付作業が簡単となるし、天井部材を吊り部へ螺着する際に、共回することを確実に防止できる。
【００１４】
（３）更に、請求項２及び４記載の発明によれば、デッキプレート２の凹溝２０は、その側面部が上方に向かって狭幅となる形状に傾斜されており、この場合は、吊り金具１の水平拡張部１１の左右端部に設けられた両支持部１２は、凹溝２０の底部側の幅広な側面部に当接される当接部１２と、同凹溝２０の開口側の狭幅な側面部の幅寸以下となる導入部とで形成された構造とされている。したがって、吊り金具１の吊り部１０を、凹溝の底部に設けた設置孔２１へ上方位置から挿入し、前記水平拡張部１１を吊り部を中心に水平回動させるのみで、その支持部の当接部が凹溝の底部側の側面部にしっかり当接されて取り付けられる。また、凹溝２０は上方に向かって狭幅となっているので、一旦取り付けられると、吊り金具が凹溝から抜け外れる虞が無く、天井部材を螺着する際に共回りを防止できるし、浮き上がりを防止することができる。
【図面の簡単な説明】
【００１５】
【図１】本発明による吊り金具の取付構造を示す側面図である。
【図２】吊り金具の平面図と正面図を、デッキプレートの平面図と併せてその関係を概略的に示した図である。
【図３】吊り金具をデッキプレートへ取り付ける概要を示す平面図である（デッキプレートの端面は側面図で示す）。
【図４】本発明による吊り金具の取付構造及びその取付方法を実施して乾式屋根を完成させた状態の一例を示した側面図である。
【図５】図２に示した吊り金具の水平拡張部の異なる形状を示した平面図である。
【図６】本発明の実施例２の取付構造を示す側面図である。
【図７】Ａは図６の実施例の吊り金具の平面図である。ＢはＡの側面図である。
【図８】本発明の実施例２を実施した平面図を示している（デッキプレートの端面は側面図で示す）。
【図９】本発明の実施例３の取付構造を示す側面図である。
【図１０】Ａは図９の実施例の吊り金具の平面図である。ＢはＡの側面図である。
【図１１】本発明の実施例３を実施した平面図を示している（デッキプレートの端面は側面図で示す）。
【図１２】Ａ、Ｂは従来の吊り金具とデッキプレートの取付構造を示す参考図である。
【図１３】従来の吊り金具を示す参考図である。
【図１４】Ａ〜Ｃは図１３の吊り金具をデッキプレートへ取り付ける要領を示す参考図である。
【発明を実施するための形態】
【００１６】
本発明は、天井部材を吊り下げる吊り金具１又は８を、乾式屋根を構成するデッキプレート２又は７に設置孔２１ａ又は７１ａを明けて取り付けた吊り金具１又は８の取付構造及び取付方法である。
前記デッキプレート２又は７には、上向きに開口する凹溝２０又は７０が底部２１又は７１と、同底部２１又は７１の両端部から上方へ起立する側面部２２又は７２とで構成され、前記底部２１には設置孔２１ａが、また前記底部７１には設置孔７１ａが設けられている。また、デッキプレート２の凹溝２０は、その側面部２２が下方に向かって溝幅が拡幅する形状とされている。デッキプレート７の凹溝７０は、その側面部７２が下方に向かって溝幅が幅狭となる形状とされている。
前記吊り金具１は、前記天井部材３を連結するネジ部１０ｂを有する吊り部１０と、同吊り部１０の頂部と連結されて水平方向へ延びる水平拡張部１１と、同水平拡張部１１の両端で前記凹溝２０の側面部２２へ当接する支持部１２とで成る。
同支持部１２は、凹溝２０の底部側の幅広な側面部２２へ当接される当接部１２ａと、凹溝２０の開口側の狭幅な側面部２２の幅以下となる導入部１２ｂとに形成されている。
上記吊り金具１は、その吊り部１０を前記デッキプレート２の凹溝２０の底部２１に設けられた設置孔２１ａへ上方位置から挿入してデッキプレート２の下方へ突き出させ、その水平拡張部１１を、吊り部１０を中心に、同吊り部１０へ吊りボルト６が螺着する方向へ水平回動させて、前記支持部１２が凹溝２０の両側面部２２と当接する状態に取り付けている。
【実施例１】
【００１７】
以下に、本発明を図示した実施例に基づいて説明する。
本発明は、図１、４に示すように、デッキプレート２の上面にコンクリートを打設しない、所謂乾式屋根に好適に実施できるものである。天井部材３を吊り下げる吊り金具１を、乾式屋根を構成するデッキプレート２の屋根側から取り付ける取付構造、及びその取付方法である。
【００１８】
先ず、上記吊り金具１を取り付けるデッキプレート２について説明する。
前記デッキプレート２は波形鋼板であり、上向き開口溝２Ｕと下向き開口溝２Ｄとが交互に形成されている。本実施例では、特に下向き開口溝２Ｄの水平な上面の中央部に、上向きに開口する凹溝２０を形成されたデッキプレート２を適用対象としている。したがって、以下には主に凹溝２０について説明し、その他の開口溝についての説明は省略する。
次に、凹溝２０へ、前記吊り金具１が取り付けられる構成を以下に説明する。
前記凹溝２０は、 図３が分かりやすいように、底部２１と、同底部２１の両端部から上方へ起立する側面部２２とで構成されている。底部２１の適所に設置孔２１ａが設けられ、後述する吊り金具１の吊り部１０が挿入される。図示例の凹溝２０は、両側面部２２が下方に向かって拡幅する末広がり形状に傾斜されている。
【００１９】
次に、吊り金具１について説明する。
吊り金具１は、図１、図２に示したように、下方に前記吊りボルト６を挿入する開口部１０ａを有し、内周面に前記天井部材３を連結するネジ部１０ｂ（雌ねじ）が形成された筒形状の吊り部１０と、同吊り部１０の頂部と結合され水平方向へ延びる水平拡張部１１と、同水平拡張部１１の両端に前記凹溝２０の側面部２２と当接するように形成された支持部１２（１２ａ、１２ｂ）とで構成されている。
前記吊り部１０は、天井部材３の吊りボルト６をネジ連結する際に、共回りしない連結が可能とするように、上端に水平拡張部１１が接合されている。
【００２０】
上記水平拡張部１１は、図２、図３に示すように、吊り部１０の頂部を中心に竹とんぼの羽根の如く水平方向に延びている。
また、水平拡張部１１の左右の両端部にはそれぞれ、上記デッキプレート２の凹溝２０の底部側の側面部２２と当接される支持部１２が次のように形成されている。図示した支持部１２は、吊り部１０の中心を通る対角線Ｐ（図２参照）を始点とする片側隅部１２ｂは、凹溝２０の１／２幅より小さいＲ形状に湾曲されている。Ｒ形状に湾曲させない他側隅部となる当接部１２ａは、凹溝２０の１／２幅よりも大きいＲ形状に湾曲され、半径の長さに変化を付けて形成されている。
【００２１】
もっとも、上記図示例では、片隅がＲ形状に湾曲する支持部１２ｂを示したが、この形状の限りではない。図５に示すように段違い形状の段部を形成した構成でもよい、要するに、凹溝２０の溝底の両側面への当接部１２ａと、当接しない導入部１２ｂを有する構成であれば良い。
上記のように支持部１２に当接部１２ａと導入部１２ｂを設ける理由は、詳しくは後述するが、吊り金具１を上記末広がり形状の凹溝２０の底部２１内へ設置する際に、吊り金具１が取付けやすく、外れ難い形状であることが必須条件であるので、その一例として上記のように導入部１２ｂが対角線Ｐ上に設けられている（図２も参照）。そのため吊り金具１を凹溝２０の底部２１の設置孔２１ａへ載置した後、水平拡張部１１を水平回動させるとスムーズに回転し、取付後は同水平拡張部１１の当接部１２ａが凹溝２０の底部側Ｔに幅広な側壁部２２へ確実に当接する。側面部２２は開口側Ｋへ幅狭に形成されているため、吊り金具１が抜け外れる虞がないのである。
【００２２】
上記構成の吊り金具１とデッキプレート２は、同デッキプレート２の凹溝２０の設置孔２１ａへ吊り金具１の吊り部１０を、デッキプレート２の上方側から挿入し、凹溝２０の下方側へ突出させる。同吊り金具１の水平拡張部１１は、吊り部１０へ結合する吊りボルト６を螺着する方向へ水平回動させると、前記水平拡張部１１の左右端部の当接部１２ａが凹溝２０の底部側Ｔの両側面部２２へ当接して回転を止められる。
【００２３】
そこで、図４に示すように、デッキプレート２の上面に断熱材４と防水シート５などの屋根部材を設置すると共に、前記吊り金具１の吊り部１０の開口部１０ａへ、天井部材３の吊りボルト６を挿入してねじ込み、乾式屋根の構築が進められる。
したがって、本発明の取付構造は、吊り金具１を取付後の屋根側面が、図示のとおり、天井部材３の吊りボルト６や吊り金具１の突出が一切無いフラットな上面となる。そのため、断熱材４や防水シート５の設置作業を効率良く行うことができる。また、その取付作業は、吊り金具１を吊りボルト６を通じて単に水平回動させ、上記支持部１２を凹溝２０の側面部２２へ当接させる操作のみで行えるので、非常に簡単である。
その上、吊りボルト６を如何様にねじ込んでも、必ず吊り部１０内に収まり、同ボルトの上端が凹溝２０の上方へ突出することが無い。
吊り部１０は、筒形状の限りではない。棒形状として、その外周面にネジ部１０ｂたる雄ねじを形成した構成でも同様に実施できる。
【００２４】
次に、吊り金具１をデッキプレート２へ取り付ける取付方法を、図３に基づいて更に細部を詳しく説明する。
先ず、図３の上段に示すように、吊り金具１の吊り部１０を、デッキプレート１の屋根側から凹溝２０の設置孔２１ａへ挿入する。その際、吊り金具１の水平拡張部１１が、凹溝２０の長さ方向（溝方向）に対して略水平となるように挿入し、その下面を凹溝２０の底部２１へ載置する。
そして、上記の状態で、図３の中段に示すように、前記水平拡張部１１は吊り部１０を中心に水平回動させて、支持部１２と凹溝２０の側面部２２とをきっちり嵌め合わせる。
上記したように水平拡張部１１の左右の各支持部１２には当接部１２ａと導入部１２ｂとがそれぞれ対角線上に設けられているので、水平拡張部１１を左に水平回動させると、支持部１２のうち底面側Ｔの側面部２２へ最初に近接するのは、開口側Ｋ−Ｋ間の幅以下の長さとした対角線上に位置する導入部１２ｂ、１２ｂである。このため側面部２２と十分な隙間を保持して接触することは無く、スムーズに回転させることができる。
しかし、一旦上記両支持部１２、１２を上記側面部２２、２２へ当接させて吊り金具１を凹溝２０へ取り付けると、前記支持部１２の当接部１２ａは、凹溝２０の底部側Ｔの幅広な側面部２２へしっかりと当接される。そして、前記凹溝２０の開口側Ｋの側面部２２の開口幅を超える長さであるため、凹溝２０から吊り金具１が抜け外れることはない。
この後、屋根材（断熱材４、防水シート５）が設置され、吊り金具１の吊り部１０へは吊りボルト６がねじ込まれて、天井部材３が組み立てられる。
因みに凹溝２０は幅約４０ｍｍであるので、人間の足の横幅よりも狭く、凹溝２０が屋根材を設置する際の歩行の妨げにはならない。
要するに、吊り金具１は、凹溝２０の底部２１へ載置後は、吊り部１０へ吊りボルト６を螺着方向へ水平回動するのみで、きっちりと取付られるので、非常に簡単である。
【実施例２】
【００２５】
本発明は、上記した実施例１の限りではない。図６〜図８に示す実施例２も同様の技術的思想に基づいて実施できる。そこで、以下に実施例１との相違点を中心に説明を進める。
実施例２において使用するデッキプレート７は、やはり上向きに開口する凹溝７０が設けられており、その側面部７２は下方に向かって狭幅となる形状に傾斜される点が、実施例１とは異なる。底部７１に設置孔７１ａが設けられている点は同じである。
上記構成のデッキプレート７の上向きに開口する凹溝７０へ取り付ける吊り金具８は、実施例１に示したものと略同様の吊り部８０と水平拡張部８１を有する。そして、水平拡張部８１の左右端部に設けられる支持部８２には、前記凹溝７０の傾斜する側面部７２に沿って起立する羽根部８２が備えられている。
【００２６】
この吊り金具８の取付方法としては、下方に向かって狭幅となる凹溝７０の設置孔７１ａへ、その吊り部８０を挿入する。かくすると、支持部８２が凹溝７０の底部側の側面部７２にしっかりと当接され固定されるので、取付作業の効率が飛躍的に向上する。因みにこの後に屋根材（断熱材４、防水シート５）が設置され、吊り金具８の吊り部８０へ吊りボルト６がねじ込まれることは、上述した実施例１のとおりである。
また、支持部８２には側面部８２に沿って起立する羽根部８２を備えているので、天井部材３の吊りボルト６を螺着する際の共回りを確実に防止できる。
なお、図１３に示すアウタ部材１６６などを用いて浮き上がりを防止させることも好適に実施される
【実施例３】
【００２７】
本発明は、実施例１、２に示した限りではなく、図９〜１１に示す実施例３も同様の技術的思想に基づいて実施できる。したがって、以下に、実施例２との相違点を中心に説明する。
実施例３は、本実施例のデッキプレート２の凹溝が上向きに開口し、下方に向かって幅狭となる形状に傾斜された点は、実施例２と同じである。但し、その溝内の深さと幅が小径である点が相違する。
上記小径の凹溝７０’に取り付けられる吊り金具８’は、基本的に図７Ａ、Ｂに示した吊り金具８と同じく、凹溝７０’の側面部７２’の傾斜に沿って起立する支持部８２’（羽根部８２）を有している。
相違する点は、図１０Ａに示すように、水平拡張部８１’を平面に見た縦横比である。実施例２（図７Ａ）に比して、平面視の縦の比率が高くなっている。これは凹溝７０’が小径であるため、天井部材３の吊りボルト６を吊り金具８’の吊り部８０’へ螺着した際に共回りする力に抵抗するのに必要な長さである。また、同様の趣旨で、吊り金具８’の支持部８２’の高さは、凹溝７０’の深さと略同様としている（図９参照）。
【００２８】
以上に本発明を図示した実施例１〜３に基づいて説明したが、本発明は、上記実施例の構成に限定されない。その目的と要旨を逸脱しない範囲において、当業者が必要に応じて行う設計変更、応用のバリエーションの範囲を含むことを念のため言及する。
【符号の説明】
【００２９】
１、８、８’        吊り金具
１０、８０、８０’  吊り部
１１、８１、８１’  水平拡張部
１２、８２、８２’  支持部（羽根部）  
２、                デッキプレート
２０、７０、７０’  凹溝
２１、７１、７１’  底部
２１ａ、７１ａ、７１ａ’設置孔
２２、７２、７２’  側面部
３                  天井部材
４                  断熱材
５                  防水シート
６                  吊りボルト
【図１】
0006018373.tif 000002
【図２】
0006018373.tif 000003
【図３】
0006018373.tif 000004
【図４】
0006018373.tif 000005
【図５】
0006018373.tif 000006
【図６】
0006018373.tif 000007
【図７】
0006018373.tif 000008
【図８】
0006018373.tif 000009
【図９】
0006018373.tif 000010
【図１０】
0006018373.tif 000011
【図１１】
0006018373.tif 000012
【図１２】
0006018373.tif 000013
【図１３】
0006018373.tif 000014
【図１４】
0006018373.tif 000015